(57)【要約】【課題】使用者が一動作で簡単にベッドから降りることができるグリップスイッチ及び介護用ベッドを提供する。【解決手段】支軸１１に装着されたグリップ１２を支軸１１の径方向に変位可能に設け、支軸１１とグリップ１２との間にグリップ１２の変位動作に基づいて切り替え操作されるスイッチ７，８を設けたグリップスイッチ９であって、支軸１１とグリップ１２との間に支軸１１に対するグリップ１２のスライド動作を確保するリンク２７を設けた。【選択図】図４
2008067772.tif 000002
【特許請求の範囲】
【請求項１】
支軸に装着されたグリップを前記支軸の径方向に変位可能に設け、前記支軸と前記グリップとの間に前記グリップの変位動作に基づいて切り替え操作されるスイッチを設けたグリップスイッチであって、前記支軸と前記グリップとの間に前記支軸に対する前記グリップのスライド動作を確保するリンク機構を設けたことを特徴とするグリップスイッチ。
【請求項２】
ベッド本体に設けられた介助バーにグリップを前記解除バーの径方向に変位可能に設け、前記介助バーと前記グリップとの間に前記グリップの変位動作に基づいて切り替え操作されるスイッチを設け、前記スイッチを前記背上げ部又は前記膝上げ部の昇降駆動部と連係して前記ベッド本体の背上げ部又は膝上げ部の少なくとも一方が昇降駆動する介護用ベッドであって、前記介助バーと前記グリップとの間に前記介助バーに対する前記グリップのスライド動作を確保するリンク機構を設けたことを特徴とする介護用ベッド。
【発明の詳細な説明】
【技術分野】
【０００１】
この発明は介護用に使用されるグリップスイッチ及び介護用ベッドに関するものである。
【背景技術】
【０００２】
従来から、病人等の介護用に使用される介護用ベッドが知られている。この介護用ベッドは、ベッドに横たわる者の起き上がり動作を補助するものであって、例えば、ベッドの近傍にベッド昇降用のスイッチが設けられ、使用者がそのスイッチを押すと上半身を支えるベッドの背上げ部が電動機構等によって上昇し、使用者の上体を起こし易くするようになっている。そして、上体が起き上がった使用者が介助なしで自力でベッドから降りる場合には、使用者はベッドに設けられた介助バー等に装着されているグリップを掴む等、介助バーを利用してベッドから降りることができる（例えば、特許文献１参照）。
【特許文献１】特開平１１−１０４１９０号公報
【発明の開示】
【発明が解決しようとする課題】
【０００３】
ところで、上述の従来技術では、ベッド昇降用のスイッチと介助バーのグリップとが離れた位置に配置されているため、使用者がベッドから自力で降りる場合においては、スイッチを押してから介助バーのグリップを掴む必要がある。このため、ベッドに横たわっている使用者が自力でベッドから降りるまでの動作が一動作で完結せず、操作が煩わしいという課題がある。
【０００４】
そこで、この発明は、使用者が一動作で簡単にベッドから降りることができるグリップスイッチ及び介護用ベッドを提供するものである。
【課題を解決するための手段】
【０００５】
上記の課題を解決するために、請求項１に記載した発明は、支軸に装着されたグリップを前記支軸の径方向に変位可能に設け、前記支軸と前記グリップとの間に前記グリップの変位動作に基づいて切り替え操作されるスイッチを設けたグリップスイッチであって、前記支軸と前記グリップとの間に前記支軸に対する前記グリップのスライド動作を確保するリンク機構を設けたことを特徴とする。
このように構成することで、グリップを動作させるだけでスイッチの切り替え操作を行うことができる。また、支軸に対してグリップを平行にスライド移動させることができる。
【０００６】
請求項２に記載した発明は、ベッド本体に設けられた介助バーにグリップを前記解除バーの径方向に変位可能に設け、前記介助バーと前記グリップとの間に前記グリップの変位動作に基づいて切り替え操作されるスイッチを設け、前記スイッチを前記背上げ部又は前記膝上げ部の昇降駆動部と連係して前記ベッド本体の背上げ部又は膝上げ部の少なくとも一方が昇降駆動する介護用ベッドであって、前記介助バーと前記グリップとの間に前記介助バーに対する前記グリップのスライド動作を確保するリンク機構を設けたことを特徴とする。
このように構成することで、介助バーに装着されたグリップを動作させるだけでベッド本体の背上げ部又は膝上げ部の昇降駆動部と連携したスイッチの切り替え操作を行うことができる。また、介助バーの軸方向に対してグリップを平行にスライド移動させることができる。
【発明の効果】
【０００７】
請求項１に記載した発明によれば、グリップを動作させるだけでスイッチの切り替え操作を行うことができるため、グリップそのものをスイッチとすることができる。
また、支軸に対してグリップを平行にスライド移動させることができるため、例えば、グリップを動作させる際に、グリップが傾くことによってスイッチの切り替え操作が正常に行えなかったり、グリップを握る位置が変わる毎にスイッチ切り替え操作の荷重がばらついたりするのを防止することができる。
【０００８】
請求項２に記載した発明によれば、介助バーに装着されたグリップを動作させるだけでベッド本体の背上げ部又は膝上げ部の昇降駆動部と連携したスイッチの切り替え操作を行うことができる。このため、例えば、使用者がグリップを動作させて背上げ部を上昇させた後、そのままグリップが装着された介助バーを利用すれば、使用者は一動作で簡単にベッド本体から降りることが可能となる。
また、介助バーの軸方向に対してグリップを平行にスライド移動させることができるため、グリップの傾きによってスイッチの切り替え操作が正常に行えなかったり、使用者のグリップを握る位置が変わる毎にスイッチ切り替え操作の荷重がばらついたりするのを防止することができる。
【発明を実施するための最良の形態】
【０００９】
次に、この発明の実施形態を図１〜図７に基づいて説明する。
図１に示すように、介護用ベッド１は、使用者Ｕを支えるベッド本体２とベッド本体２の側縁に設けられた介助バー３とを備えたものである。ベッド本体２は、使用者Ｕの上半身を支える背上げ部４と下半身を支える膝上げ部５とで分割構成されている。また、ベッド本体２の床側には背上げ部４及び膝上げ部５を昇降させる昇降駆動部６が設けられている。この昇降駆動部６は、介助バー３に設けられている後述のスイッチ７，８と電気的に接続されており、スイッチ７，８のＯＮ操作に基づいて駆動するようになっている。
【００１０】
図２に示すように、介助バー３は、使用者Ｕが立ち上がろうとした際等に掴まるためのものであって、介助バー本体２５の先端にグリップスイッチ９がボルト１０によって締結固定されている。また、グリップスイッチ９の先端には受付スイッチ２１が設けられている。この受付スイッチ２１はグリップスイッチ９の誤動作を防止するためのものである。つまり、この受付スイッチ２１を操作することで初めてグリップスイッチ９の操作が有効になる。
【００１１】
図３〜図６に示すように、グリップスイッチ９は、介助バー本体２５に取り付けられた円柱状の支軸１１に筒状のグリップ１２が外装され、これら支軸１１とグリップ１２との間にスイッチ７，８が設けられたものである。
支軸１１のグリップ１２装着部分は断面略四角形状になっており、側面１４ａ，１４ｂ、上面１５、下面１６を形成している。
【００１２】
この支軸１１に形成された一方の側面１４ａに凹部１３が形成されており、この凹部１３内に、スイッチ７，８が設けられている。スイッチ７，８は、ベッド本体２に設けられた昇降駆動部６を操作するためのものであって、図示しない電源に電気的に接続されている。スイッチ７，８のグリップ１２側端面にはそれぞれレバー７ａ，８ａが設けられている。そして、これらレバー７ａ，８ａが押されることでスイッチ７，８がＯＮ状態になる。
【００１３】
また、支軸１１の他方の側面１４ｂには段付凹部２０が形成されている。この段付凹部２０には略Ｚ字状に形成された板バネ２０がグリップ１２の上面側と下面側とに跨るようにして設けられている。板バネ２０は、グリップ１２に対して反発力を付勢するためのものである。
【００１４】
グリップ１２は、使用者Ｕが把持する部分である。グリップ１２の内周面１７は支軸１１の断面略四角形状に対応するように断面略四角形に形成され、グリップ１２の支軸１１に対する周方向への回転が規制されるようになっている。また、グリップ１２の内周面１７と支軸１１の上面１５との間にはそれぞれ隙間１８，１９が形成されている。この隙間１８，１９によってグリップ１２が支軸１１の下面１６側又は上面１５側に向かって移動可能になっている。そして、グリップ１２が下面１６側へ移動し、グリップ１２の内周面１７と支軸１１の上面１５とが当接するとスイッチ７のレバー７ａが押されてスイッチ７がＯＮ状態になり、グリップ１２が上面１５側へ移動し、ブリップ１２の内周面１７と支軸１１の下面１６とが当接するとスイッチ８のレバー８ａが押されてスイッチ８がＯＮ状態になる。
【００１５】
支軸１１に対して下面１６側や上面１５側に移動したグリップ１２には前述した板バネ２０によって反発力が付勢される。そして、グリップ１２が下面１６側に移動すると上面１５側へ押し戻され、グリップ１２が上面１５側に移動すると下面１６側に押し戻されるようになっている。したがって、グリップ１２は、常にグリップ１２の内周面１７と支軸１１の上面１５及び下面１６との間にそれぞれ隙間１８，１９を確保した姿勢を保つようになっている。
【００１６】
図６、図７に示すように、グリップ１２の両側面１４ａ，１４ｂと支軸１１との間には一対のリンク２７，２７が設けられている。リンク２７は針金状の部材で形成されたものであって、直線状に形成された支軸嵌合部２８とフック状に形成された一対のグリップ嵌合部２９，２９とを有している。支軸嵌合部２８の長さＬ１はグリップ１２の長さＬ２と略同等に設定されている。そして、支軸１１の両側面１４ａ，１４ｂにそれぞれ支軸嵌合部２８が支軸１１の軸方向に沿って回動自在に支持されている。また、グリップ１２の両端側にグリップ嵌合部２９，２９がスライド自在に支持されている。
【００１７】
尚、グリップ１２の両端側であってグリップ嵌合部２９，２９に対応する部分には、リンク受け入れ溝３０，３０が形成されると共に、グリップ嵌合部２８の先端を径方向にスライド可能にするガイド溝３１が形成されている。リンク受け入れ溝３０，３０は、リンク２７が支軸嵌合部２８を中心に回動する場合にグリップ嵌合部２９，２９とグリップ１２とが干渉しないように断面略半円形状に形成されている。ガイド溝３１は支軸１１の径方向に対して水平に形成されている。
【００１８】
次にリンク２７の動作について説明する。図８は、グリップ１２が支軸１１に対して中央に位置している状態（スイッチ７，８のレバー７ａ，８ａ共に押されていない状態）を示し、図９は、グリップ１２が支軸１１に対して下面１６側に移動した状態（スイッチ７のレバー７ａが押された状態）を示す。
図８に示すように、グリップ１２が支軸１１に対して中央に位置している状態の場合においては、リンク２７は径方向に水平な状態になっている。
【００１９】
これに対し、図９に示すように、グリップ１２が支軸１１に対して下面１６側に移動した場合においては、リンク２７が支軸嵌合部２８を中心にして回動する一方、グリップ嵌合部２９がガイド溝３１に沿ってスライドする。このとき、リンク２７の支軸嵌合部２８が支軸１１の軸方向に沿って回動自在に支持され、グリップ嵌合部２８の先端が支軸１１の径方向に対して水平にスライドするため、グリップ１２は支軸１１に対して平行にスライドする。尚、特に図示しないが、グリップ１２が支軸１１に対して上面１５側に移動した状態（スイッチ８のレバー８ａが押された状態）の場合であっても、グリップ１２が支軸１１に対して下面１６側に移動した場合と同様にリンク２７が支軸嵌合部２８を中心にして回動する一方、グリップ嵌合部２９がガイド溝３１に沿ってスライドする。
【００２０】
次に、介護用ベッド１の動作について説明する。
図１０、図１１に示すように、まず、使用者Ｕは、平坦なベッド本体２に横になった状態から立ち上がろうとする場合において、介助バー３に設けられたグリップスイッチ９を把持し、そして、受付スイッチ２１を押す。尚、グリップスイッチ９は、そのグリップスイッチ９内に設けられたスイッチ７，８のレバー７ａ，８ａの何れかを使用者Ｕ側に向くようにして設ければよいが、ここでは説明の都合上スイッチ８のレバー８ａが使用者Ｕ側（図１０中下側）に向くように設けられた場合について説明する。  
【００２１】
次に、使用者Ｕがグリップ１２を把持し、グリップ１２を手前に引く。すると、グリップ１２によってスイッチ７のレバー７ａが押されてスイッチ７がＯＮ状態になり、昇降駆動部６が起動する。そして、昇降駆動部６によってベッド本体２の背上げ部４が上昇する。この後、例えば、使用者Ｕが介護用ベッド１から自力で降りる場合にはグリップ１２を把持したままの状態で介助バー３を利用しながら降りることができる。尚、使用者Ｕがベッド本体２の背上げ部４を上昇させた後、再び背上げ部４を下降させる場合には、グリップ１２を使用者Ｕとは反対側に（図１０中上方に向かって）押し上げるとスイッチ８のレバー８ａが押されてスイッチ８がＯＮ状態になり、昇降駆動部６によってベッド本体２の背上げ部４が下降される。
【００２２】
また、この動作についての説明においては、スイッチ７のレバー７ａが一回押されると背上げ部４が上昇される場合について説明したが、ｎ回押すと背上げ部４が上昇されるようにしてもよい。さらに、背上げ部４を下降させる場合にはレバー７ａをｎ＋１回とし、膝上げ部５を上昇させる場合にはスイッチ８のレバー８ａをｎ回及びｎ＋１回で昇降させるようにしてもよい。つまり、これら背上げ部４の昇降と膝上げ部５の昇降がグリップ１２を手前に引いたり、押し上げたり、また、それぞれのスイッチ７，８をｎ回操作することによって背上げ部４や膝上げ部５の昇降駆動が使い分けできればよい。  
【００２３】
したがって、上述の実施形態によれば、使用者Ｕが介助バー３に設けられたグリップスイッチ９を一度把持すれば、グリップ１２を把持したままの状態でスイッチ７を操作して背上げ部４を上昇させ、そして、そのまま介助バー３を利用して介護用ベッド１から降りることができる。このため、使用者Ｕは、介護用ベッド１のベッド本体２に横になった状態から一動作で簡単に介護用ベッド１から降りることができる。
【００２４】
また、例えば、使用者Ｕがグリップ１２を手前に引くことで背上げ部４が上昇するようにした場合には、使用者Ｕが横になった状態から介助バー３を把持して起き上がろうとする動作を補助する役割を担う。このため、使用者Ｕの腕の筋力トレーニングになる効果を奏することができる。
【００２５】
さらに、グリップスイッチ９は、使用者Ｕがグリップ１２を握っただけではスイッチ７，８のレバー７ａ，８ａが押されることはなく、その把持したグリップ１２を動かすことで初めてスイッチ７，８のレバー７ａ，８ａが押されてスイッチ７，８がＯＮ状態になる。これによって初めて昇降駆動部６の切り替え操作を行うことができる。このため、例えば、図１２、図１３に示すように、支軸３５に押し釦３６が設けられたものや、支軸３５にレバー３７が設けられ、そのレバー３７を引くことでスイッチが操作されるもののように、支軸３５を把持しただけでスイッチ操作ができるものと比較して、誤動作の虞がない。よって、例えば、使用者Ｕが緊急でベッド本体２の背上げ部４の昇降動作を止めたいと思った際に、使用者Ｕに力が入ってスイッチを握りこんでしまう場合による誤動作を回避することができる。そして、グリップスイッチ９の先端に受付スイッチ２１を設けることで、さらに誤動作をなくすことが確実なものにすることができる。    
【００２６】
そして、リンク２７の支軸嵌合部２８が支軸１１の軸方向に沿って回動自在に支持され、グリップ嵌合部２８の先端が支軸１１の径方向に対して水平にスライドするため、グリップ１２は支軸１１に対して平行にスライドする。よって、例えば、グリップ１２を動作させる際にグリップ１２が傾き、スイッチ７，８のレバー７ａ，８ａが正常に押されず、スイッチ７，８の切り替え操作が行えなかったり、使用者Ｕのグリップ１２を握る位置が変わる毎にスイッチ７，８の切り替え操作の荷重がばらついたりするのを防止することができる。  
【００２７】
また、リンク２７によってグリップ１２は支軸１１に対して平行にスライドするため、例えば、支軸１１にグリップ１２の支軸１１に対する傾きを防止するためのガイドを設ける必要がない。このため、例えば、支軸１１にガイドを設けた場合において、支軸１１のガイドとグリップ１２との間に異物が噛み込むことによってグリップ１２がロックしてしまう等の虞がない。
【００２８】
尚、本発明は上述した実施形態に限られるものではなく、本発明の趣旨を逸脱しない範囲において、上述した実施形態に種々の変更を加えたものを含む。
例えば、上述の実施形態において、グリップ１２の軸方向への移動を規制するため、支軸１１に止め輪等を設けてもよい。この場合、止め輪とグリップ１２との間には十分なクリアランスを設ける。
また、上述の実施形態では、例えば、介助バー３の介助バー本体２５の先端にグリップスイッチ９が設けられ、このグリップスイッチ９の支軸１１にグリップ１２が外装されている場合について説明したが、支軸１１が介助バー本体２５と一体成形され、その一体成形された介助バー本体にグリップ１２が外装されたものであってもよい。
【００２９】
さらに、上述の実施形態では、例えば、グリップスイッチ９の支軸１１の先端に受付スイッチ２１が設けられている場合について説明したが、受付スイッチ２１が設けられていない場合においてもグリップスイッチ９を使用することができる。
そして、上述の実施形態では、例えば、リンク２７が針金状の部材で形成されている場合について説明したが、プラスチック等で形成してもよい。
【００３０】
また、上述の実施形態では、例えば、スイッチ７，８は、それぞれレバー７ａ，８ａが設けられたものである場合について説明したが、レバー７ａ，８ａに代わって釦によって切り替え操作が行えるタイプのスイッチであってもよい。
さらに、上述の実施形態では、例えば、支軸１１にスイッチ７，８が設けられている場合について説明したが、スイッチの個数は二個に限らず、一個であってもよい。この場合、グリップスイッチ９はグリップ１２を支軸１１の上面１５側又は支軸１１の下面１６側の何れか一方向に変位させた場合にのみスイッチがＯＮ状態になる。
【００３１】
そして、上述の実施形態では、例えば、略Ｚ字状に形成された板バネ２０によってグリップ１２に反発力を付勢する場合について説明したが、板バネ２０はグリップ１２の上下方向に対して反発力を付勢することができる形状であればよく、板バネ２０に代わってコイルスプリング状のものであってもよい。
【００３２】
また、上述の実施形態では、例えば、ベッド本体２の側縁に介助バー３が設けられた場合について説明したが、使用者Ｕが介助バー３を利用できるように設置されていればこの限りではない。
さらに、上述の実施形態では、例えば、ベッド本体２が背上げ部４と膝上げ部５とに二分割構成されている場合について説明したが、ベッド本体２の背上げ部４と膝上げ部５とが三分割以上に分割構成されていてもよい。
【図面の簡単な説明】
【００３３】
【図１】本発明の実施形態における介護用ベッドの斜視図である。
【図２】本発明の実施形態における介助バーの平面一部断面図である。
【図３】本発明の実施形態におけるグリップスイッチの一部断面上面図である。
【図４】本発明の実施形態におけるグリップスイッチの一部断面側面図である。
【図５】図４のＡ−Ａ線に沿う断面図である。
【図６】図３のＢ−Ｂ線に沿う断面図である。
【図７】本発明の実施形態におけるリンクの平面図である。
【図８】本発明の実施形態におけるリンクの状態を示し、図６のＣ部拡大図である。
【図９】本発明の実施形態におけるリンクの状態を示し、図６のＣ部拡大図である。
【図１０】本発明の実施形態における使用者がベッド本体に横になっている状態を示す平面図である。
【図１１】本発明の実施形態におけるベッド本体の背上げ部が上昇した状態を示す平面図である。
【図１２】本発明の実施形態における従来のスイッチの平面図である。
【図１３】本発明の実施形態における従来のスイッチの平面図である。
【符号の説明】
【００３４】
１  介護用ベッド        
２  ベッド本体        
３  介助バー    
４  背上げ部
５  膝上げ部
６  昇降駆動部  
７  スイッチ
８  スイッチ
９  グリップスイッチ
１１  支軸
１２  グリップ
２７  リンク
２８  支軸嵌合部
２９  グリップ嵌合部
３０  リンク受け入れ溝
３１  ガイド溝
【図１】
2008067772.tif 000003
【図２】
2008067772.tif 000004
【図３】
2008067772.tif 000005
【図４】
2008067772.tif 000006
【図５】
2008067772.tif 000007
【図６】
2008067772.tif 000008
【図７】
2008067772.tif 000009
【図８】
2008067772.tif 000010
【図９】
2008067772.tif 000011
【図１０】
2008067772.tif 000012
【図１１】
2008067772.tif 000013
【図１２】
2008067772.tif 000014
【図１３】
2008067772.tif 000015